【手続補正書】
【提出日】平成16年7月29日(2004.7.29)
【手続補正１】
【補正対象書類名】明細書
【補正対象項目名】全文
【補正方法】変更
【補正の内容】
【書類名】              明細書
【発明の名称】          カード式パチンコ機
【特許請求の範囲】
【請求項１】  カード式球貸機が設けられたカード式パチンコ機において、
賞球と貸球とを払い出す賞球貸球払出手段と、
前記賞球貸球払出手段により払い出された賞球及び貸球の有無を検出する払出球検出手段と、
入賞球の有無を検出する入賞球検出手段と、
前記入賞球検出手段による入賞球の有無の第１検出情報が入力されて、該第１検出情報に基づいて所定個数の賞球の払い出しを指令する賞球払出指令を出力する第１制御手段と、
前記カード式球貸機から入力される所定個数の貸球の払い出しを指令する貸球払出指令と前記第１制御手段から入力される前記賞球払出指令とにより前記賞球貸球払出手段を駆動制御する第２制御手段と、
前記払出球検出手段による賞球及び貸球の有無の第２検出情報が入力され、該第２検出情報を前記第１制御手段又は第２制御手段の一方に出力するように前記第２制御手段によって切り替え制御される出力切替手段とを備え、
前記第２制御手段は、前記賞球貸球払出手段により払い出される貸球の個数を前記第２検出情報に基づいてカウントする払出カウントスイッチを有し、前記貸球払出指令が入力されない場合には、前記第２検出情報を前記第１制御手段に出力するように前記出力切替手段を制御し、前記貸球払出指令が入力された場合には、前記払出カウントスイッチにより所定個数カウントするまで前記第２検出情報を該第２制御手段に出力するように前記出力切替手段を制御することを特徴とするカード式パチンコ機。
【請求項２】  前記第１制御手段は、前記第１検出情報と前記出力切替手段から入力される前記第２検出情報とに基づいて前記賞球貸球払出手段により払い出される賞球の個数を前記払出カウントスイッチによりカウントするとともに、前記払出カウントスイッチにより所定個数がカウントされた場合には、前記第２制御手段に賞球の払い出し停止を指令する払出停止指令を出力することを特徴とする請求項１に記載のカード式パチンコ機。
【請求項３】  カード式球貸機が設けられたカード式パチンコ機において、
賞球と貸球とを払い出す賞球貸球払出手段と、
前記賞球貸球払出手段により払い出された賞球及び貸球の有無を検出する払出球検出手段と、
入賞球の有無を検出する入賞球検出手段と、
前記入賞球検出手段による入賞球の有無の第１検出情報と前記払出球検出手段による賞球及び貸球の有無の第２検出情報とが入力されて、該第１検出情報と第２検出情報とに基づいて所定個数の賞球の払い出しを指令する賞球払出指令を出力する第１制御手段と、
前記カード式球貸機から入力される所定個数の貸球の払い出しを指令する貸球払出指令と前記第１制御手段から入力される前記賞球払出指令とにより前記賞球貸球払出手段を駆動制御する第２制御手段と、
前記第２制御手段の制御によって前記第１制御手段に入力された前記第２検出情報を該第２制御手段に出力をするように前記第１制御手段に指示する出力指示手段とを備え、
前記第２制御手段は、前記賞球貸球払出手段により払い出される貸球の個数を前記第２検出情報に基づいてカウントする払出カウントスイッチを有し、前記貸球払出指令が入力された場合には、前記払出カウントスイッチにより所定個数カウントするまで前記第２検出情報が該第２制御手段に入力されるように前記出力指示手段を制御することを特徴とするカード式パチンコ機。
【請求項４】  前記第１制御手段は、前記第１検出情報と前記第２検出情報とに基づいて前記賞球貸球払出手段により払い出される賞球の個数を前記払出カウントスイッチによりカウントするとともに、前記第２検出情報を前記第２制御手段に出力している場合には、前記払出カウントスイッチによるカウントを停止することを特徴とする請求項３に記載のカード式パチンコ機。
【請求項５】  前記第１制御手段は、前記払出カウントスイッチにより所定個数がカウントされた場合には、前記第２制御手段に賞球の払い出し停止を指令する払出停止指令を出力することを特徴とする請求項４に記載のカード式パチンコ機。
【発明の詳細な説明】
【０００１】
【発明の属する技術分野】
本発明は、入賞に対する賞球とカード式球貸機に対する貸球とが払い出されるカード式パチンコ機に関し、特に、賞球払い出しの管理処理と貸球払い出しの管理処理とを分離し、賞球払い出しの管理処理を主基板に実行させ、貸球払い出しの管理処理を賞球制御基板に実行させることにより、賞球払い出しの管理処理を主基板に一元化することができ、また、賞球払い出し制御に対する不正防止対策を主基板だけに実施すればよく、もって、不正防止対策のコスト削減を図ることが可能となると共に、賞球制御基板に対する賞球払い出し制御に対する不正行為を確実に防止することが可能となるカード式パチンコ機に関するものである。
【０００２】
【従来の技術】
最近のパチンコ機では、遊技内容に変化を加えることによってパチンコ機を利用する遊技者の興味を高めるべく種々の役物が備えられている。そのような中、パチンコ機には役物の制御を含む各種機器の制御に非常に多くの電子制御回路が組み込まれ、役物制御回路、表示回路、或いは賞球の払出制御回路などの各種回路が存在する。そして、このような回路にはマイクロコンピュータ等を含む電子制御回路が主流となり、その構造も非常に複雑なものになってきている。また、制御内容も高度化、複雑化したため、マイクロコンピュータを搭載した複数の基板回路により各種制御が分担して実行されている。
【０００３】
従来例として、カード式パチンコ機（以下、「ＣＲ機」という）の賞球及び貸球の払い出しに係る制御システムの一例について図８に基づいて説明する。図８は本従来例に係るＣＲ機の賞球及び貸球の払い出しに係る制御システムの構成を示すブロック図である。
図８に示すように、賞球及び貸球の払い出しに係る制御システム１０１は、主基板１０２、賞球制御基板１０３、入賞球検出スイッチ１０４、払出カウントスイッチ１０５、賞球貸球払出装置１０６、入賞球排出ソレノイド１０７、球貸操作基板１０８、インターフェース基板１０９、及び球貸機制御基板１１０等から構成されている。
【０００４】
また、主基板１０２には、ＣＲ機の遊技動作などを制御する制御回路が構成されている。そして、その制御回路は、制御動作を所定の手順で実行することができるＣＰＵ、その動作プログラムデータを格納するＲＯＭ、及びデータの書き込み及び読み出しを行うＲＡＭ等、又は入出力回路やクロック発生器等を含むマイクロコンピュータが装着されている。
また、賞球制御基板１０３は、後述する賞球及び貸球の払い出し等の制御を行うための制御回路が構成されている。そして、その制御回路は、制御動作を所定の手順で実行することができるＣＰＵ、その動作プログラムデータを格納するＲＯＭ、及びデータの書き込み及び読み出しを行うＲＡＭ等、又は入出力回路やクロック発生器等を含むマイクロコンピュータが装着されている。
また、球貸操作基板１０８は、不図示の球貸し操作部から入力される所定個数の貸球の要求信号等をインターフェース基板１０９を介して球貸機制御基板１１０に出力し、また、球貸機制御基板１１０からインターフェース基板１０９を介して入力される残高情報等を球貸し操作部に表示する回路が構成されている。
また、球貸機制御基板１１０には、カード式球貸機の球貸しに係る制御を行うための制御回路が構成されている。そして、その制御回路は、制御動作を所定の手順で実行することができるＣＰＵ、その動作プログラムデータを格納するＲＯＭ、及びデータの書き込み及び読み出しを行うＲＡＭ等、又は入出力回路やクロック発生器等を含むマイクロコンピュータが装着されている。
また、インターフェース基板１０９には、前記賞球制御基板１０３、球貸操作基板１０８、及び球貸機制御基板１１０を相互に接続する接続回路が構成されている。
また、賞球貸球払出装置１０６は、賞球制御基板１０３の制御により賞球又は貸球としてパチンコ球を１個ずつ払い出す装置である。払出カウントスイッチ１０５は、賞球貸球払出装置１０６から払い出されるパチンコ球の通過を検出するセンサである。入賞球検出スイッチ１０４は、入賞球の有無を検出するセンサである。入賞球排出ソレノイド１０７は、入賞球を入賞球排出通路に１個ずつ排出するための入賞球排出カムを駆動するソレノイドである。
【０００５】
そして、主基板１０２の入力回路には、入賞球検出スイッチ１０４が配線により接続されている。
また、賞球制御基板１０３の入力回路には、主基板１０２の出力回路、払出カウントスイッチ１０５、及びインターフェース基板１０９の出力回路が配線により接続されている。さらに、賞球制御基板１０３の出力回路には、賞球貸球払出装置１０６、入賞球排出ソレノイド１０７、及びインターフェース基板１０９の入力回路が配線により接続されている。
さらに、インターフェース基板１０９の入出力回路には、球貸操作基板１０８の入出力回路と球貸機制御基板１１０の入出力回路とが配線により接続されている。
【０００６】
続いて、前記のように構成された制御システム１０１において行われる賞球及び貸球の払い出し制御処理について図９に基づいて説明する。図９は本従来例に係るＣＲ機の賞球及び貸球の払い出しに係る制御システム１０１において行われる制御処理のフローチャートである。
先ず、図９に示されるように、ステップ（以下、Ｓと略記する）１０１において、賞球制御基板１０３のＣＰＵは、球貸機制御基板１１０からインターフェース基板１０９を介して所定個数の貸球の払い出しを指令する貸球払出指令が入力回路に入力されているか否か判定する。尚、球貸機制御基板１１０は、球貸操作基板１０８からインターフェース基板１０９を介して所定個数の貸球の要求が入力された場合に、賞球制御基板１０３にインターフェース基板１０９を介してこの貸球払出指令を出力する。
そして、賞球制御基板１０３のＣＰＵは、貸球払出指令が入力回路に入力されている場合には（Ｓ１０１：ＹＥＳ）、賞球制御基板１０３のＲＯＭに格納されている制御プログラムに従って設定貸球数を計算してＲＡＭに格納後、賞球貸球払出装置１０６を駆動して、貸球として１個パチンコ球が払い出されるの払出カウントスイッチ１０５から入力される検出信号により確認する（Ｓ１０２）。
【０００７】
そして、賞球制御基板１０３のＣＰＵは、この賞球貸球払出装置１０６により払い出される貸球の個数をカウントし、この払い出された貸球のカウント個数が、予めＲＡＭに格納されている設定貸球数になったか否か判定する（Ｓ１０３）。そして、払い出された貸球のカウント個数が、設定貸球数になっていない場合には（Ｓ１０３：ＮＯ）、再度、Ｓ１０２以降の処理を実行する。
また、払い出された貸球のカウント個数が、設定貸球数になった場合には（Ｓ１０３：ＹＥＳ）、賞球貸球払出装置１０６による貸球の払い出しを停止し、インターフェース基板１０９を介して、球貸機制御基板１１０に貸球の払い出し終了を通知して処理を終了する（Ｓ１０４）。
【０００８】
また、賞球制御基板１０３のＣＰＵは、貸球払出指令が入力回路に入力されていない場合には（Ｓ１０１：ＮＯ）、主基板１０２から所定個数の賞球の払い出しを指令する賞球払出指令が入力回路に入力されているか否か判定する（Ｓ１０５）。この賞球払出指令は、入賞球検出スイッチ１０４から主基板１０２の入力回路に入賞球検出信号が入力されると、主基板１０２の出力回路から賞球制御基板１０３の入力回路に出力される。
そして、賞球制御基板１０３のＣＰＵは、この賞球払出指令が入力回路に入力されていない場合には（Ｓ１０５：ＮＯ）、再度、Ｓ１０１以降の処理を実行する。
また、賞球制御基板１０３のＣＰＵは、この賞球払出指令が入力回路に入力されている場合には（Ｓ１０５：ＹＥＳ）、ＲＯＭに格納されている制御プログラムに従って賞球払出指令の賞球個数を設定賞球数としてＲＡＭに記憶後、賞球貸球払出装置１０６を駆動して、賞球として１個パチンコ球が払い出されるの払出カウントスイッチ１０５により確認する（Ｓ１０６）。
【０００９】
そして、この賞球貸球払出装置１０６により払い出される賞球の個数をカウントし、この払い出された賞球のカウント個数が、ＲＡＭに格納されている設定賞球数になったか否か判定する（Ｓ１０７）。そして、払い出された賞球のカウント個数が、設定賞球数になっていない場合には（Ｓ１０７：ＮＯ）、再度、Ｓ１０６以降の処理を実行する。
また、払い出された賞球のカウント個数が、設定賞球数になった場合には（Ｓ１０７：ＹＥＳ）、賞球貸球払出装置１０６による賞球の払い出しを停止し、入賞球排出ソレノイド１０７を１回ＯＮ・ＯＦＦ駆動して入賞球を１個排出後、処理を終了する（Ｓ１０８）。
【００１０】
したがって、賞球制御基板１０３は、球貸機制御基板１１０からインタフェース基板１０９を介して貸球払出指令が入力された場合には、賞球貸球払出装置１０６を駆動して所定個数の貸球を払い出す制御を行う。また、賞球制御基板１０３は、主基板１０２から賞球払出指令が入力された場合には、賞球貸球払出装置１０６を駆動して所定個数の賞球を払い出す制御を行う。これにより、賞球と貸球とが賞球貸球払出装置１０６から払い出されるため、遊技の中断時間がほとんど無く、遊技者は遊技に集中することができる。
【００１１】
【発明が解決しようとする課題】
しかしながら、賞球制御基板１０３のＣＰＵに賞球払い出しの管理処理、及び、貸球の払い出しの管理処理を全て実行させて、主基板１０２のＣＰＵは賞球の払い出しの管理処理をしないため、賞球制御基板１０３の入力回路に賞球数を外部から不正に入力されて、賞球の払い出し制御処理を実行させられる可能性があるという問題がある。また、賞球払い出し制御に対する不正防止対策を賞球制御基板１０３と主基板１０２の両方に実施する必要があるため、不正防止対策のコストがアップするという問題がある。
【００１２】
そこで、本発明は、かかる問題点を解消すべく、賞球払い出しの管理処理と貸球払い出しの管理処理とを分離し、賞球払い出しの管理処理を主基板に搭載されたＣＰＵに実行させ、貸球払い出しの管理処理を賞球制御基板に搭載されたＣＰＵに実行させることにより、賞球払い出しの管理処理を主基板に一元化することに基づき、賞球制御基板に対する不正行為を確実に防止することが可能になると共に、賞球払い出し制御に対する不正防止対策を主基板だけに実施するだけで、不正防止対策のコスト削減を図ることが可能なカード式パチンコ機を提供することを目的とする。
【００１３】
【課題を解決するための手段】
前記目的を達成するため請求項１に係るカード式パチンコ機は、カード式球貸機が設けられたカード式パチンコ機において、賞球と貸球とを払い出す賞球貸球払出手段と、前記賞球貸球払出手段により払い出された賞球及び貸球の有無を検出する払出球検出手段と、入賞球の有無を検出する入賞球検出手段と、前記入賞球検出手段による入賞球の有無の第１検出情報が入力されて、該第１検出情報に基づいて所定個数の賞球の払い出しを指令する賞球払出指令を出力する第１制御手段と、前記カード式球貸機から入力される所定個数の貸球の払い出しを指令する貸球払出指令と前記第１制御手段から入力される前記賞球払出指令とにより前記賞球貸球払出手段を駆動制御する第２制御手段と、前記払出球検出手段による賞球及び貸球の有無の第２検出情報が入力され、該第２検出情報を前記第１制御手段又は第２制御手段の一方に出力するように前記第２制御手段によって切り替え制御される出力切替手段とを備え、前記第２制御手段は、前記賞球貸球払出手段により払い出される貸球の個数を前記第２検出情報に基づいてカウントする払出カウントスイッチを有し、前記貸球払出指令が入力されない場合には、前記第２検出情報を前記第１制御手段に出力するように前記出力切替手段を制御し、前記貸球払出指令が入力された場合には、前記払出カウントスイッチにより所定個数カウントするまで前記第２検出情報を該第２制御手段に出力するように前記出力切替手段を制御することを特徴とする。
【００１４】
このような特徴を有する請求項１に係るカード式パチンコ機においては、前記第１制御手段は、前記入賞球検出手段から入賞球の有無の第１検出情報が入力されており、入賞球有りの第１検出情報が入力された場合には、第２制御手段に賞球払出指令を出力する。また、第２制御手段は、前記カード式球貸機から貸球払出指令が入力された場合には、前記払出球検出手段から賞球貸球払出手段により払い出される貸球の有無の第２検出情報がこの第２制御手段に入力されるように前記出力切替手段を制御すると共に、賞球貸球払出手段を駆動制御して貸球を払い出し、この第２検出情報に基づいて払い出される貸球の個数をカウントする。そして、第２制御手段は、所定個数の貸球が払い出されると、貸球の払い出しを停止すると共に、前記第２検出情報が第１制御手段に入力されるように前記出力切替手段を制御する。さらに、第２制御手段は、前記第１制御手段から賞球払出指令が入力されている場合には、賞球貸球払出手段を駆動制御して賞球を払い出し、この払い出される賞球の有無の第２検出情報が前記出力切替手段を介して第１制御手段に入力される。
これにより、第２制御手段によって前記所定個数の貸球の払い出しが一元的に管理され、また、第１制御手段によって前記所定個数の賞球の払い出しが一元的に管理することが可能となる。また、第２制御手段に対する賞球払い出しに係る不正行為を確実に防止することが可能になると共に、第１制御手段だけに賞球払い出しに係る不正行為の防止対策を実施すればよく、不正防止対策のコスト削減を図ることが可能となる。
【００１５】
また、請求項２に係るカード式パチンコ機は、請求項１に記載のカード式パチンコ機において、前記第１制御手段は、前記第１検出情報と前記出力切替手段から入力される前記第２検出情報とに基づいて前記賞球貸球払出手段により払い出される賞球の個数を前記払出カウントスイッチによりカウントするとともに、前記払出カウントスイッチにより所定個数がカウントされた場合には、前記第２制御手段に賞球の払い出し停止を指令する払出停止指令を出力することを特徴とする。
【００１６】
このような特徴を有する請求項２に係るカード式パチンコ機は、請求項１に記載したカード式パチンコ機において、前記第１制御手段は、前記出力切替手段から入力される第２検出情報に基づいて払い出される賞球の個数をカウントして、所定個数の賞球が払い出されると、払出停止指令を第２制御手段に出力する。
これにより、第１制御手段によって前記所定個数の賞球の払い出しが一元的に管理されるため、第２制御手段に対する賞球払い出しに係る不正行為を確実に防止することが可能になると共に、第１制御手段だけに賞球払い出しに係る不正行為の防止対策を実施すればよく、不正防止対策のコスト削減を図ることが可能となる。
【００１７】
また、請求項３に係るカード式パチンコ機は、カード式球貸機が設けられたカード式パチンコ機において、賞球と貸球とを払い出す賞球貸球払出手段と、前記賞球貸球払出手段により払い出された賞球及び貸球の有無を検出する払出球検出手段と、入賞球の有無を検出する入賞球検出手段と、前記入賞球検出手段による入賞球の有無の第１検出情報と前記払出球検出手段による賞球及び貸球の有無の第２検出情報とが入力されて、該第１検出情報と第２検出情報とに基づいて所定個数の賞球の払い出しを指令する賞球払出指令を出力する第１制御手段と、前記カード式球貸機から入力される所定個数の貸球の払い出しを指令する貸球払出指令と前記第１制御手段から入力される前記賞球払出指令とにより前記賞球貸球払出手段を駆動制御する第２制御手段と、前記第２制御手段の制御によって前記第１制御手段に入力された前記第２検出情報を該第２制御手段に出力をするように前記第１制御手段に指示する出力指示手段とを備え、前記第２制御手段は、前記賞球貸球払出手段により払い出される貸球の個数を前記第２検出情報に基づいてカウントする払出カウントスイッチを有し、前記貸球払出指令が入力された場合には、前記払出カウントスイッチにより所定個数カウントするまで前記第２検出情報が該第２制御手段に入力されるように前記出力指示手段を制御することを特徴とする。
【００１８】
このような特徴を有する請求項３に係るカード式パチンコ機は、前記第１制御手段は、前記入賞球検出手段から入賞球の有無の第１検出情報が入力され、また、前記払出検出手段から賞球及び貸球の有無の第２検出情報が入力されている。そして、第１制御手段は、この第１検出情報と第２検出情報とに基づいて第２制御手段に賞球払出指令を出力する。また、第１制御手段は、前記出力指示手段から前記第２検出情報を第２制御手段に出力するように指示された場合には、この第２検出情報を第２制御手段に出力する。また、第２制御手段は、前記カード式球貸機から貸球払出指令が入力された場合には、前記出力指示手段に第２検出情報を第２制御手段に出力するように制御すると共に、賞球貸球払出手段を駆動制御して貸球を払い出し、この第２検出情報に基づいて払い出される貸球の個数をカウントする。そして、第２制御手段は、所定個数の貸球が払い出されると、貸球の払い出しを停止すると共に、前記第２検出情報が第１制御手段に入力されるように前記出力指示手段を制御する。さらに、第２制御手段は、前記第１制御手段から賞球払出指令が入力されている場合には、賞球貸球払出手段を駆動制御して賞球を払い出し、この払い出される賞球の有無の第２検出情報がこの第１制御手段に入力される。
これにより、第２制御手段によって前記所定個数の貸球の払い出しが一元的に管理され、また、第１制御手段によって前記所定個数の賞球の払い出しが一元的に管理することが可能となる。また、第２制御手段に対する賞球払い出しに係る不正行為を確実に防止することが可能になると共に、第１制御手段だけに賞球払い出しに係る不正行為の防止対策を実施すればよく、不正防止対策のコスト削減を図ることが可能となる。さらに、賞球の払い出し中にカード式球貸機から第２制御手段に貸球払出指令が入力されても、貸球を払い出すことができるため、遊技者は大当たり等の有利な特別状態になった場合に、遊技球不足に陥る可能性がほぼ無くなり、特別状態を確実に取ることが可能となる。
【００１９】
また、請求項４に係るカード式パチンコ機は、請求項３に記載のカード式パチンコ機において、前記第１制御手段は、前記第１検出情報と前記第２検出情報とに基づいて前記賞球貸球払出手段により払い出される賞球の個数を前記払出カウントスイッチによりカウントするとともに、前記第２検出情報を前記第２制御手段に出力している場合には、前記払出カウントスイッチによるカウントを停止することを特徴とする。
【００２０】
このような特徴を有する請求項４に係るカード式パチンコ機は、請求項３に記載したカード式パチンコ機において、前記第１制御手段は、第２検出情報を前記第２制御手段に出力している場合には、前記払出カウントスイッチによるカウントを停止するため、払い出される賞球の個数を正確にカウントすることが可能となる。また、第１制御手段によって前記所定個数の賞球の払い出しが一元的に管理され、また、第２制御手段によって前記所定個数の貸球の払い出しが一元的に管理されるため、第１制御手段だけに賞球払い出しに係る不正行為の防止対策を実施すればよく、不正防止対策のコスト削減を図ることが可能となる。
【００２１】
また、請求項５に係るカード式パチンコ機は、請求項４に記載のカード式パチンコ機において、前記第１制御手段は、前記払出カウントスイッチにより所定個数がカウントされた場合には、前記第２制御手段に賞球の払い出し停止を指令する払出停止指令を出力することを特徴とする。
【００２２】
このような特徴を有する請求項５に係るカード式パチンコ機は、請求項４に記載したカード式パチンコ機において、前記第１制御手段は、前記出力切替手段から入力される第２検出情報に基づいて払い出される賞球の個数をカウントして、所定個数の賞球が払い出されると、払出停止指令を第２制御手段に出力する。
これにより、第１制御手段によって前記所定個数の賞球の払い出しが一元的に管理されるため、第２制御手段に対する賞球払い出しに係る不正行為を確実に防止することが可能になると共に、第１制御手段だけに賞球払い出しに係る不正行為の防止対策を実施すればよく、不正防止対策のコスト削減を図ることが可能となる。
【００２３】
【発明の実施の形態】
以下、本発明に係るカード式パチンコ機について具体化した第１及び第２実施の形態を図面を参照して詳細に説明する。
先ず、第１実施形態に係るカード式パチンコ機の全体構成について図１及び図２に基づいて説明する。図１は第１実施形態に係るカード式パチンコ機全体を示した正面図である。図２は第１実施形態に係るカード式パチンコ機全体を示した背面図である。
【００２４】
図１において、カード式パチンコ機はいわゆるＣＲ機と称され、パチンコ機１とカード式球貸機２１とによって構成され、これらは対をなして設置される。パチンコ機１は、所定量のパチンコ球を賞球として払い出す、いわゆる第一種パチンコ機である。また、このパチンコ機１は、入賞口、図柄表示装置、電動役物及び、ゲート等の各種構造物が遊技盤２上に配設されている。その遊技盤２の下には、不図示の樋を介して排出される賞球を受ける上部受け皿３がスピーカ３ａを内蔵してプレート４に配設されている。そして、その上部受け皿３の下には、下部受け皿５が配設される。また、上部受け皿３に連通する不図示の球送り機構を介して上部受け皿３の遊技球がハンドル６に連結された不図示の発射装置へ送られるよう構成されている。
一方、遊技盤２の周りには、遊技中のエラーを表示するエラー表示ランプ７や「当たり」を表示する当たり表示ランプ８，８が設けられている。また、遊技盤２を囲んだ枠９内には、両肩部に賞球及び球切れ表示ランプ１０，１０が設けられている。
【００２５】
次に、カード式球貸機２１について説明する。カード式球貸機２１のほぼ中央にはカード挿入口２２が配設され、上方には順にカード利用可ランプ２３、端数表示スイッチ２４、連結台方向表示２５、及びカード挿入中ランプ２６が配設されている。カード利用可ランプ２３が点灯しているときに、カード挿入口２２にカードを挿入することができる。端数表示スイッチ２４は、１００円未満の端数を表示する。連結台方向表示２５は、左右どちらのパチンコ機にカード球貸し機が接続されているかを表示している。カード挿入中ランプ２６は、カードがカード挿入口２２に挿入されている間点灯している。
【００２６】
また、上部受け皿３の中央付近には、球貸し操作部１１である度数表示１２、貸出スイッチ１３、貸出スイッチＬＥＤ１４、及び返却スイッチ１５が配設されている。そして、球貸操作部１１の度数表示１２は、カード残高を表示している。貸出スイッチＬＥＤ１４が点灯しているときに、貸出スイッチ１３の操作が可能であり、貸出スイッチ１３によって遊技球の貸し出しが行われる。また、パチンコ遊技を止めるときは、返却スイッチ１５を操作することによってカードの排出が行なわれる。尚、貸し出される貸球は、後述するように、賞球を払い出す賞球貸球払出装置６１（図４参照）によって上部受け皿３に払い出される。
また、この球貸操作部１１の裏側には球貸操作基板４９（図４参照）が配設されている。この球貸操作基板４９には、貸出スイッチ１３と返却スイッチ１５からの入力信号をインタフェース基板４８（図４参照）を介して球貸機制御基板２１Ａ（図４参照）に出力し、球貸機制御基板２１Ａからインタフェース基板４８を介して入力される残高表示信号等を度数表示１２や貸出スイッチＬＥＤ１４に出力する回路が構成されている。
【００２７】
次に、図２において、パチンコ機１及びパチンコ機１の側面（図２中、右側の側面）に取り付けられるカード式球貸機２１の裏側の構成について説明する。このパチンコ機１は、所定量のパチンコ球を賞球又は貸球として払い出すものであり、木製の外枠３１に対して木製の内枠３２がヒンジ部材等を介して開閉自在に取り付けられている。また、この内枠３２のほぼ中央部には遊技盤２が着脱自在なように鉄板等の金属製の機構盤３３が取り付けられている。そして、この機構盤３３の裏側には合成樹脂製の機構セット盤３４が開閉自在に蝶番により取り付けられている。
また、パチンコゲーム機１の裏側最上段には、上方に開口した賞球タンク３５が機構セット盤３４に固定されている。賞球タンク３５の直上には補給装置３６が配設され、吐出部３６Ａが垂直に降りている。賞球タンク３５は、傾斜した底面に不図示の連通孔が形成され、その連通孔の下方にはパチンコ球を１列に整列流出し、賞球ケース３８にパチンコ球を送る通路を形成するタンクレール３７が取付けられている。
【００２８】
また、賞球ケース３８へパチンコ球を案内する賞球案内部３８Ａ内には、タンクレール３７の下流側のパチンコ球を送る１列の賞球通路３９が形成されている。
また、賞球ケース３８内には、後述するように賞球通路３９を通過するパチンコ球を確認する球有り検出スイッチ５２（図３参照）、パチンコ球の払い出しを調節する払い出しソレノイド５１等（図３参照）が内装されている。そして、これら賞球タンク３５、タンクレール３７、賞球案内部３８Ａ、賞球ケース３８、球有り検出スイッチ５２、及び払い出しソレノイド５１等により賞球及び貸球の払い出しシステムが構成されている。
そして、賞球ケース３８の下流側には排出部が形成され、入賞球を排出する入賞球排出通路４０及び下皿オーバーフロースイッチ５９（図３参照）が内装された下皿排出路４１が下端部下方に形成されている。また、この下皿排出路４１を介して上部受け皿３から溢れた賞球を受けて下部受け皿５に案内する下部受皿ボックス４２がボルトにより内枠３２の裏側に取り付けられている。
【００２９】
また、カード式球貸機２１内には、後述する球貸機制御基板２１Ａ（図４参照）が設けられている。この球貸機制御基板２１Ａには、貸出スイッチ１３を介して球貸操作基板４９に入力された貸球要求信号に対して、後述する所定個数の貸球の払い出しを賞球制御基板４５のＣＰＵに指令する制御等を行う制御回路が構成されている。そして、その制御回路は、制御動作を所定の手順で実行することができるＣＰＵ、その動作プログラムデータを格納するＲＯＭ、及びデータの書き込み及び読み出しを行うＲＡＭ等、又は入出力回路やクロック発生器等を含むマイクロコンピュータが装着されている。そして、カード式球貸機２１の背面には、この球貸機制御基板２１Ａと外部の機器との接続を行うための各種のコネクタ２１Ｂ、２１Ｃ、２１Ｄ等が設けられている。
【００３０】
また、機構セット盤３４の中央部に形成された開口部６５（図３参照）には、後述するようにカバー４３Ｂに覆われた主基板４３が、遊技盤２裏面を覆うセンタカバー４４に装着された状態で固定されている。この主基板４３には、後述するパチンコゲーム機１の賞球の払い出し制御等を制御する制御回路が構成されている。そして、その制御回路は、制御動作を所定の手順で実行することができるＣＰＵ、その動作プログラムデータを格納するＲＯＭ、及びデータの書き込み及び読み出しを行うＲＡＭ等、又は入出力回路やクロック発生器等を含むマイクロコンピュータが装着されている。
【００３１】
また、主基板４３の下側には、賞球制御基板４５がカバーに覆われて取り付けられている。この賞球制御基板４５には、後述するように、貸球の払い出し制御や賞球貸球払出装置６１（図４参照）の駆動制御等を行うための制御回路が構成されている。そして、その制御回路は、後述する出力切替スイッチ６２（図４参照）、制御動作を所定の手順で実行することができるＣＰＵ、その動作プログラムデータを格納するＲＯＭ、及びデータの書き込み及び読み出しを行うＲＡＭ等、又は入出力回路やクロック発生器等を含むマイクロコンピュータが装着されている。尚、この出力切替スイッチ６２は、駆動端子、入力端子、通常時は閉じた状態（入力端子と導通している状態）で駆動端子に所定の電圧が印加されると開いた状態（入力端子と導通していない状態）になるＮＣ（normally close）端子、及び、通常時開いた状態（入力端子と導通していない状態）で駆動端子に所定の電圧が印加されると閉じた状態（入力端子と導通している状態）になるＮＯ（normally open ）端子から構成されるリレー（電磁継電器）等により構成されている。
【００３２】
また、賞球ケース３８の下側には、インターフェース基板４８がカバーに覆われて取り付けられている。このインターフェース基板４８とカード式球貸機２１の背面のコネクタ２１Ｂとは、接続コード４７により相互に接続され、球貸機制御基板２１Ａがインターフェース基板４８に接続されている。また、このインターフェース基板４８には、後述するように、賞球制御基板４５及び球貸操作基板４９が配線により接続されている（図４参照）。そして、インターフェース基板４８は、賞球制御基板４５、球貸操作基板４９、及びカード式球貸機２１からの制御信号等を相互に接続するための接続回路を構成している。
【００３３】
さらに、機構セット盤３４の上方角部（図２中、右上角部）には、中継基板４６が設けられている。この中継基板４６は、パチンコゲーム機１とホールコンピュータをつなぐ基板である。
【００３４】
次に、賞球及び貸球の払い出しを行う機構の構成、及び入賞球の排出を行う機構の構成について図３に基づいて説明する。図３は第１実施形態に係るパチンコ機１の賞球及び貸球の払い出しに係る機構セット盤の要部を拡大した背面図である。
図３に示すように、機構セット盤３４の最上部に取り付けられている賞球タンク３５の底面外側の一端（図３中、底面の右端部外側）には、賞球タンク３５内のパチンコ球の有無を検出するための賞球タンクスイッチ５０が設けられている。この賞球タンクスイッチ５０は、パチンコ球無しを検出すると、検出信号を出力するスイッチである。
そして、賞球タンク３５内のパチンコ球は、賞球及び貸球の払い出しに伴い、一点鎖線の矢印に示されるように、タンクレール３７、及び賞球ケース案内部３８Ａ内の賞球通路３９を介して、賞球ケース３８内に送られる。この賞球ケース３８内には、パチンコ球を回転することにより順次送り出す爪車５４が一方向（図３中、時計方向）回転自在に設けられ、払出ソレノイド５１のＯＮ・ＯＦＦ駆動により所定の角度毎（第１実施形態では、約６０度毎）に回転駆動される。また、爪車５４に送られているパチンコ球の有無を検出するための球有り検出スイッチ５２が爪車５４の上側に設けられている。この球有り検出スイッチ５２は、パチンコ球有りを検出すると、検出信号を出力するスイッチである。この払出ソレノイド５１、球有り検出スイッチ５２、及び爪車５４等により後述する賞球貸球払出装置６１（図４参照）が構成されている。
さらに、払出ソレノイド５１のＯＮ・ＯＦＦ駆動によって順次払い出されるパチンコ球の通過の有無を検出するための払出カウントスイッチ５３が、爪車５４の下側に設けられている。この払出カウントスイッチ５３は、パチンコ球の通過を検出すると、検出信号を出力するスイッチである。そして、排出ソレノイド５１のＯＮ・ＯＦＦ駆動によって払い出された賞球及び貸球は、下方に送られて賞球払出口６０を介して上部受け皿３に送られる。そして、上部受け皿３から溢れた賞球は、下皿排出路４１を介して下部受皿ボックス４２に送られる。また、この下皿排出路４１内には、下部受け皿５内の賞球のオーバーフローを検出するための下皿オーバーフロースイッチ５９が設けられている。この下皿オーバーフロースイッチ５９は、パチンコ球有りを検出すると、検出信号を出力するスイッチである。
【００３５】
また、各入賞口や始動口に入賞した入賞球は、不図示の案内樋を介して機構セット盤３４の下方の内側に設けられた入賞球案内樋５５によって二点鎖線矢印で示されるように、一列に整列されて入賞球排出カム５８に案内される。この入賞球排出カム５８は、入賞球案内樋５５側の一端縁部に入賞球が１個入る凹部が形成されると共に、ほぼ中央部を軸により回転自在に支持されている。また、入賞球排出カム５８の他端縁部には、この入賞球排出カム５８を所定角度だけ回転させるための入賞球排出ソレノイド５７が装着されると共に、通常は入賞球排出カム５８の他端縁部を下側に押し下げるためのバネが取り付けられている。そして、賞球制御基板４５等の制御により入賞球排出ソレノイド５７のＯＮ駆動によって、入賞球排出カム５８の他端縁部が引き上げられて、入賞球排出カム５８の一端縁部の凹部に保持されていた入賞球が下方に開口されている入賞球排出路４０に１個排出される。そして、入賞球排出ソレノイド５７のＯＦＦ駆動によって、入賞球排出カム５８の他端縁部がバネによって押し下げられて、再度、入賞球案内樋５５側の一端縁部に形成された凹部に入賞球が１個保持され、この繰り返しにより入賞球が１個ずつ順次排出される。また、入賞球排出カム５８の遊技盤２側の側面には、入賞球排出カム５８の凹部に保持される入賞球の有無を検出するための入賞球検出スイッチ５６が取り付けられている。この入賞球検出スイッチ５６は、パチンコ球有りを検出すると、検出信号を出力するスイッチである。そして、これら入賞球案内樋５５、入賞球検出スイッチ５６、入賞球排出ソレノイド５７、入賞球排出カム５８、及び入賞球排出通路４０等により入賞球排出システムが構成されている。
【００３６】
また、払出ソレノイド５１、球有り検出スイッチ５２、及び爪車５４等から構成される賞球貸球払出装置６１が、賞球貸球払出手段として機能する。また、払出カウントスイッチ５３が、払出球検出手段として機能する。また、入賞球検出スイッチ５６が、入賞球検出手段として機能する。また、主基板４３が、第１制御手段を構成し、賞球制御基板４５が、第２制御手段を構成する。また、出力切替スイッチ６２が、出力切替手段として機能する。また、賞球制御基板４５のＣＰＵとＲＡＭにより貸球カウント手段が構成される。さらに、主基板４３のＣＰＵとＲＡＭにより賞球カウント手段が構成される。
【００３７】
次に、前記のように構成されたカード式パチンコ機の賞球及び貸球の払い出しに係る制御システムの構成について図４に基づいて説明する。図４は第１実施形態に係るカード式パチンコ機の賞球及び貸球の払い出しに係る制御システムの構成を示すブロック図である。
図４に示すように、賞球及び貸球の払い出しに係る制御システム７１は、主基板４３、賞球制御基板４５、入賞球検出スイッチ５６、払出カウントスイッチ５３、出力切替スイッチ６２、賞球貸球払出装置６１、入賞球排出ソレノイド５７、球貸操作基板４９、インターフェース基板４８、及び球貸機制御基板２１Ａ等から構成されている。
【００３８】
そして、主基板４３の入力回路には、入賞球検出スイッチ５６や出力切替スイッチ６２のＮＣ端子が配線により接続されている。
また、賞球制御基板４５の入力回路には、主基板４３の出力回路、出力切替スイッチ６２のＮＯ端子、及びインターフェース基板４８の出力回路が配線により接続されている。さらに、賞球制御基板４５の出力回路には、賞球貸球払出装置６１、入賞球排出ソレノイド５７、出力切替スイッチ６２の駆動端子、及びインターフェース基板４８の入力回路が配線により接続されている。
また、出力切替スイッチ６２の入力端子には、払出カウントスイッチ５３が配線により接続されている。
また、球貸操作基板４９の入出力回路には、度数表示１２、貸出スイッチ１３、貸出スイッチＬＥＤ１４、及び返却スイッチ１５が接続されている。
さらに、インターフェース基板４８の入出力回路には、球貸操作基板４９の入出力回路と球貸機制御基板２１Ａの入出力回路とが配線により接続されている。
【００３９】
続いて、前記のように構成された制御システム７１において行われる賞球及び貸球の払い出し制御処理について図５に基づいて説明する。図５は第１実施形態に係るカード式パチンコ機の賞球及び貸球の払い出しに係る制御システム７１において行われる制御処理のフローチャートである。
先ず、図５に示されるように、ステップ（以下、Ｓと略記する）１において、賞球制御基板４５のＣＰＵは、球貸機制御基板２１Ａからインターフェース基板４８を介して所定個数の貸球の払い出しを指令する貸球払出指令が入力回路に入力されているか否か判定する。尚、球貸機制御基板２１Ａは、貸出スイッチ１３による入力信号が球貸操作基板４９からインターフェース基板４８を介して入力された場合に、賞球制御基板４５にインターフェース基板４８を介してこの貸球払出指令を出力する。
そして、賞球制御基板４５のＣＰＵは、貸球払出指令が入力回路に入力されている場合には（Ｓ１：ＹＥＳ）、出力切替スイッチ６２の駆動端子に所定電圧の印加を開始する（Ｓ２）。これにより、払出カウントスイッチ５３の出力が出力切替スイッチ６２のＮＯ端子を介して賞球制御基板４５の入力回路に入力される。
続いて、賞球制御基板４５のＣＰＵは、ＲＯＭに格納されている制御プログラムに従って設定貸球数を計算してＲＡＭに格納後、賞球貸球払出装置６１を駆動して、貸球として１個パチンコ球が払い出されるの出力切替スイッチ６２を介して払出カウントスイッチ５３から入力される検出信号により確認する（Ｓ３）。
【００４０】
そして、賞球制御基板４５のＣＰＵは、この賞球貸球払出装置６１により払い出される貸球の個数をカウントし、この払い出された貸球のカウント個数が、予めＲＡＭに格納されている設定貸球数になったか否か判定する（Ｓ４）。そして、払い出された貸球のカウント個数が、設定貸球数になっていない場合には（Ｓ４：ＮＯ）、再度、Ｓ３以降の処理を実行する。
また、賞球制御基板４５のＣＰＵは、払い出された貸球のカウント個数が、設定貸球数になった場合には（Ｓ４：ＹＥＳ）、賞球貸球払出装置６１による貸球の払い出しを停止し、インターフェース基板４８を介して、球貸機制御基板２１Ａに貸球の払い出し終了を通知する（Ｓ５）。
続いて、賞球制御基板４５のＣＰＵは、出力切替スイッチ６２の駆動端子への所定電圧の印加を停止して処理を終了する（Ｓ６）。
【００４１】
また、賞球制御基板４５のＣＰＵは、貸球払出指令が入力回路に入力されていない場合には（Ｓ１：ＮＯ）、主基板４３から賞球の払い出しを指令する賞球払出指令が入力回路に入力されているか否か判定する（Ｓ７）。そして、賞球制御基板４５のＣＰＵは、この賞球払出指令が入力回路に入力されていない場合には（Ｓ７：ＮＯ）、再度、Ｓ１以降の処理を実行する。
尚、この賞球払出指令は、入賞球検出スイッチ５６から主基板４３の入力回路に入賞球検出信号が入力されると、主基板４３の出力回路から賞球制御基板４５の入力回路に出力される。また、主基板４３のＣＰＵは、入賞球検出スイッチ５６から入賞球検出信号が入力された場合は、入賞に対して払い出される賞球の所定個数をＲＯＭから読み出し、設定賞球数としてＲＡＭに格納する。
【００４２】
また、賞球制御基板４５のＣＰＵは、この賞球払出指令が入力回路に入力されている場合には（Ｓ７：ＹＥＳ）、賞球制御基板４５のＲＯＭに格納されている制御プログラムに従って賞球貸球払出装置６１の駆動を開始する（Ｓ８）。
【００４３】
次に、Ｓ９において、主基板４３のＣＰＵは、出力切替スイッチ６２のＮＣ端子を介して入力される払出カウントスイッチ５３の賞球の通過検出信号により賞球として１個パチンコ球が払い出されるのを確認する。そして、主基板４３のＣＰＵは、この賞球貸球払出装置６１により払い出される賞球の個数をカウントし、この払い出された賞球のカウント個数が、ＲＡＭに格納されている設定賞球数になったか否か判定する。そして、主基板４３のＣＰＵは、払い出された賞球のカウント個数が、設定賞球数になっていない場合には（Ｓ９：ＮＯ）、賞球貸球払出装置６１により払い出される賞球の個数のカウントを続け、賞球制御基板４５のＣＰＵは、賞球貸球払出装置６１の駆動を続行する（Ｓ８）。
【００４４】
また、主基板４３のＣＰＵは、払い出された賞球のカウント個数が、設定賞球数になった場合には（Ｓ９：ＹＥＳ）、賞球の払い出し停止を指令する払出停止指令を賞球制御基板４５に出力する。そして、賞球制御基板４５のＣＰＵは、この払出停止指令が入力されると賞球貸球払出装置６１の駆動を停止して、入賞球排出ソレノイド５７を１回ＯＮ・ＯＦＦ駆動して入賞球を１個排出後、処理を終了する（Ｓ１０）。
【００４５】
以上詳細に説明した通り第１実施形態に係るカード式パチンコ機では、主基板４３のＣＰＵは、入賞球検出スイッチ５６から入賞球検出信号が入力された場合には（Ｓ７：ＹＥＳ）、賞球制御基板４５に賞球払出指令を出力する。また、賞球制御基板４５のＣＰＵは、球貸機制御基板２１Ａから貸球払出指令が入力された場合には（Ｓ１：ＹＥＳ）、出力切替スイッチ６２の駆動端子に所定電圧の印加を開始する（Ｓ２）。そして、賞球制御基板４５のＣＰＵは、賞球貸球払出装置６１の駆動を開始して、出力切替スイッチ６２を介して入力される払出カウントスイッチ５３の貸球の検出信号をカウントする（Ｓ３）。そして、賞球制御基板４５のＣＰＵは、所定個数の貸球が払い出されると（Ｓ４：ＹＥＳ）、貸球の払い出しを停止すると共に、出力切替スイッチ６２の駆動端子への印加を停止する（Ｓ５、Ｓ６）。
また、賞球制御基板４５のＣＰＵは、球貸機制御基板２１Ａから貸球払出指令が入力されていない場合には（Ｓ１：ＮＯ）、主基板４３から賞球払出指令が入力されているか否か判定し（Ｓ７）、この賞球払出指令が入力されている場合は（Ｓ７：ＹＥＳ）、賞球貸球払出装置６１の駆動を開始する（Ｓ８）。そして、主基板４３のＣＰＵは、出力切替スイッチ６２を介して入力される払出カウントスイッチ５３の検出信号により払い出される賞球個数をカウントし、所定個数の賞球が払い出されると賞球制御基板４５に払出停止指令を出力して、賞球の払い出しが停止される（Ｓ９、Ｓ１０）。
【００４６】
したがって、主基板４３のＣＰＵによって賞球の払い出しが一元的に管理され、また、賞球制御基板４５のＣＰＵによって貸球の払い出しが一元的に管理されるため、賞球制御基板４５に対する不正行為を確実に防止することが可能になると共に、主基板４３だけに賞球払い出しに係る不正行為の防止対策を実施すればよいため、不正防止対策のコスト削減を図ることが可能となる。
【００４７】
次に、第２実施形態に係るカード式パチンコ機について詳細に説明する。第２実施形態に係るカード式パチンコ機の概略構成は第１実施形態のカード式パチンコ機の構成とほぼ同じ構成である（図１乃至図３参照）。但し、第２実施形態の賞球制御基板４５の制御回路には、出力切替スイッチ６２が設けられていない。そして、後述する出力指示スイッチ６３（図６参照）が、主基板４３の制御回路に設けられている。尚、この出力指示スイッチ６３は、入力端子、出力端子、及び駆動端子を有するＮＣ（normally close）スイッチとして機能するリレー（電磁継電器）等により構成され、この入力端子と出力端子は、通常時は閉じた状態（入力端子と出力端子が導通している状態）で駆動端子に所定の電圧が印加されると開いた状態（入力端子と出力端子が導通していない状態）になる。また、出力指示スイッチ６３の入力端子は主基板４３の制御回路の電源に抵抗を介してプルアップされ、出力指示スイッチ６３の出力端子は、主基板４３の制御回路のアースに接地されている。
【００４８】
また、この出力指示スイッチ６３が、出力指示手段として機能する。
【００４９】
次に、前記のように構成された第２実施形態に係るカード式パチンコ機の賞球及び貸球の払い出しに係る制御システムの構成について図６に基づいて説明する。図６は第２実施形態に係るカード式パチンコ機の賞球及び貸球の払い出しに係る制御システムの構成を示すブロック図である。
図６に示すように、第２実施形態に係るカード式パチンコ機の賞球及び貸球の払い出しに係る制御システム７２は、第１実施形態に係るカード式パチンコ機の賞球及び貸球の払い出しに係る制御システム７１とほぼ同じ構成である。但し、払出カウントスイッチ５３は、主基板４３の入力回路に配線により接続されている。また、出力指示スイッチ６３の入力端子は、主基板４３の入力回路に回路配線により接続されている。さらに、出力指示スイッチ６３の駆動端子は、賞球制御基板４５の出力回路に配線により接続されている。
【００５０】
続いて、前記のように構成された制御システム７２において行われる賞球及び貸球の払い出し制御処理について図７に基づいて説明する。図７は第２実施形態に係るカード式パチンコ機の賞球及び貸球の払い出しに係る制御システム７２において行われる制御処理のフローチャートである。
先ず、図７に示されるように、Ｓ１５において、賞球制御基板４５のＣＰＵは、球貸機制御基板２１Ａからインターフェース基板４８を介して所定個数の貸球の払い出しを指令する貸球払出指令が入力回路に入力されているか否か判定する。尚、球貸機制御基板２１Ａは、貸出スイッチ１３による入力信号が球貸操作基板４９からインターフェース基板４８を介して入力された場合に、賞球制御基板４５にインターフェース基板４８を介してこの貸球払出指令を出力する。
そして、賞球制御基板４５のＣＰＵは、貸球払出指令が入力回路に入力されている場合には（Ｓ１５：ＹＥＳ）、この貸球払出指令の指示する貸球の払い出し個数を設定貸球数としてＲＡＭに格納後、出力指示スイッチ６３の駆動端子に所定電圧の印加を開始する（Ｓ１６）。
これにより、出力指示スイッチ６３の入力端子の電圧が、Ｈｉｇｈ（例えば、約５Ｖ）からＬｏｗ（例えば、約０Ｖ）に変化する。また、主基板４３のＣＰＵは、常に、出力指示スイッチ６３の入力端子の電圧を入力回路を介してモニターしている。そして、出力指示スイッチ６３の入力端子の電圧がＨｉｇｈの場合には、そのまま出力指示スイッチ６３の入力端子の電圧モニターを続行する。また、出力指示スイッチ６３の入力端子の電圧がＬｏｗの場合には、払出カウントスイッチ５３から入力されたパチンコ球の通過検出信号を賞球制御基板４５の入力回路に出力し、主基板４３のＣＰＵは、この払出カウントスイッチ５３から入力されたパチンコ球の通過検出信号を入力されていないものとして処理する。即ち、出力指示スイッチ６３の入力端子の電圧がＬｏｗの場合には、払出カウントスイッチ５３は、賞球制御基板４５の入力回路に接続され、主基板４３の入力回路には接続されていない状態と同じになる。
【００５１】
続いて、賞球制御基板４５のＣＰＵは、賞球貸球払出装置６１を駆動して、貸球として１個パチンコ球が払い出されるの主基板４３を介して払出カウントスイッチ５３から入力される検出信号により確認する（Ｓ１７）。
【００５２】
そして、賞球制御基板４５のＣＰＵは、この賞球貸球払出装置６１により払い出される貸球の個数をカウントし、この払い出された貸球のカウント個数が、ＲＡＭに格納されている設定貸球数になったか否か判定する（Ｓ１８）。そして、払い出された貸球のカウント個数が、設定貸球数になっていない場合には（Ｓ１８：ＮＯ）、再度、Ｓ１７以降の処理を実行する。
また、賞球制御基板４５のＣＰＵは、払い出された貸球のカウント個数が、設定貸球数になった場合には（Ｓ１８：ＹＥＳ）、賞球貸球払出装置６１による貸球の払い出しを停止し、インターフェース基板４８を介して、球貸機制御基板２１Ａに貸球の払い出し終了を通知する（Ｓ１９）。
続いて、賞球制御基板４５のＣＰＵは、出力指示スイッチ６３の駆動端子への所定電圧の印加を停止して処理を終了する（Ｓ２０）。これにより、出力指示スイッチ６３の入力端子の電圧は、ＬｏｗからＨｉｇｈに変化する。
【００５３】
また、賞球制御基板４５のＣＰＵは、貸球払出指令が入力回路に入力されていない場合には（Ｓ１５：ＮＯ）、主基板４３から賞球の払い出しを指令する賞球払出指令が入力回路に入力されているか否か判定する（Ｓ２１）。そして、賞球制御基板４５のＣＰＵは、この賞球払出指令が入力回路に入力されていない場合には（Ｓ２１：ＮＯ）、再度、Ｓ１５以降の処理を実行する。
尚、この賞球払出指令は、入賞球検出スイッチ５６から主基板４３の入力回路に入賞球検出信号が入力されると、主基板４３の出力回路から賞球制御基板４５の入力回路に出力される。また、主基板４３のＣＰＵは、入賞球検出スイッチ５６から入賞球検出信号が入力された場合は、入賞に対して払い出される賞球の所定個数をＲＯＭから読み出し、設定賞球数としてＲＡＭに格納する。
【００５４】
また、賞球制御基板４５のＣＰＵは、この賞球払出指令が入力回路に入力されている場合には（Ｓ２１：ＹＥＳ）、ＲＯＭに格納されている制御プログラムに従って賞球貸球払出装置６１の駆動を開始する（Ｓ２２）。
【００５５】
次に、Ｓ２３において、主基板４３のＣＰＵは、払出カウントスイッチ５３から入力される賞球の通過検出信号により賞球として１個パチンコ球が払い出されるのを確認する。そして、主基板４３のＣＰＵは、この賞球貸球払出装置６１により払い出される賞球の個数をカウントし、この払い出された賞球のカウント個数が、ＲＡＭに格納されている設定賞球数になったか否か判定する（Ｓ２３）。そして、主基板４３のＣＰＵは、払い出された賞球のカウント個数が、設定賞球数になっていない場合には（Ｓ２３：ＮＯ）、出力指示スイッチ６３の入力端子の電圧をモニターすると共に、賞球貸球払出装置６１により払い出される賞球の個数のカウントを続け、賞球制御基板４５のＣＰＵは、賞球貸球払出装置６１の駆動を続行する（Ｓ２２）。
尚、主基板４３のＣＰＵは、払い出される賞球のカウント中に出力指示スイッチ６３の入力端子の電圧がＬｏｗになった場合には、その時の賞球のカウント個数を記憶し、一時、払い出される賞球のカウントを中断する。そして、出力指示スイッチ６３の入力端子の電圧モニターを続け、この入力端子の電圧がＨｉｇｈになると、前回の賞球のカウント個数を読み出し、再度、Ｓ２２以降の処理を続ける。
【００５６】
また、主基板４３のＣＰＵは、払い出された賞球のカウント個数が、設定賞球数になった場合には（Ｓ２３：ＹＥＳ）、賞球の払い出し停止を指令する払出停止指令を賞球制御基板４５に出力する。そして、賞球制御基板４５のＣＰＵは、この払出停止指令が入力されると賞球貸球払出装置６１の駆動を停止し、入賞球排出ソレノイド１０７を１回ＯＮ・ＯＦＦ駆動して入賞球を１個排出後、処理を終了する（Ｓ２４）。
【００５７】
以上詳細に説明した通り第２実施形態に係るカード式パチンコ機では、主基板４３のＣＰＵは、入賞球検出スイッチ５６から入賞球検出信号が入力された場合には（Ｓ２１：ＹＥＳ）、賞球制御基板４５に賞球払出指令を出力する。また、賞球制御基板４５のＣＰＵは、球貸機制御基板２１Ａから貸球払出指令が入力された場合には（Ｓ１５：ＹＥＳ）、出力指示スイッチ６３の駆動端子に所定電圧の印加を開始する（Ｓ１６）。これにより、払出カウントスイッチ５３から入力される検出信号が主基板４３を介して賞球制御基板４５に入力され、払出カウントスイッチ５３から出力される検出信号は、主基板４３に入力されない状態と同一状態になる。そして、賞球制御基板４５のＣＰＵは、賞球貸球払出装置６１の駆動を開始して、主基板４３を介して入力される払出カウントスイッチ５３の貸球の検出信号をカウントする（Ｓ１７、Ｓ１８）。そして、賞球制御基板４５のＣＰＵは、所定個数の貸球が払い出されると（Ｓ１８：ＹＥＳ）、貸球の払い出しを停止すると共に、出力指示スイッチ６３の駆動端子への印加を停止する（Ｓ１９、Ｓ２０）。
また、賞球制御基板４５のＣＰＵは、球貸機制御基板２１Ａから貸球払出指令が入力されていない場合には（Ｓ１５：ＮＯ）、主基板４３から賞球払出指令が入力されているか否か判定し（Ｓ２１）、この賞球払出指令が入力されている場合は（Ｓ２１：ＹＥＳ）、賞球貸球払出装置６１の駆動を開始する（Ｓ２２）。そして、主基板４３のＣＰＵは、払出カウントスイッチ５３から入力される賞球の通過検出信号により払い出される賞球個数をカウントし、所定個数の賞球が払い出されると賞球制御基板４５に払出停止指令を出力して、賞球の払い出しが停止される（Ｓ２３、Ｓ２４）。
【００５８】
したがって、主基板４３のＣＰＵによって賞球の払い出しが一元的に管理され、また、賞球制御基板４５のＣＰＵによって貸球の払い出しが一元的に管理されるため、賞球制御基板４５に対する不正行為を確実に防止することが可能になると共に、主基板４３だけに賞球払い出しに係る不正行為の防止対策を実施すればよいため、不正防止対策のコスト削減を図ることが可能となる。
また、賞球の払い出し中に球貸機制御基板２１Ａから賞球制御基板４５に球貸払出指令が入力された場合には、主基板４３のＣＰＵは、賞球のカウント個数を記憶後、賞球の払い出しを一時、中断して、賞球制御基板４５のＣＰＵにより貸球の払い出しが行われるため、遊技者は大当たり等の有利な特別状態になった場合に、遊技球不足に陥る可能性がほぼ無くなり、特別状態を確実に取ることが可能となる。さらに、主基板４３は、賞球のカウント個数を記憶後、賞球の払い出しを一時、中断するため、賞球の払い出し再開後に払い出される賞球の個数を正確にカウントすることが可能となる。
【００５９】
尚、本発明は前記第１及び第２実施形態に限定されることはなく、本発明の要旨を逸脱しない範囲内で種々の改良、変形が可能であることは勿論であり、以下のようにしてもよい。
（ａ）前記第１実施形態では、賞球制御基板４５の制御回路に出力切替スイッチ６２を設けたが、主基板４３の制御回路に設けてもよい。
（ｂ）前記第２実施形態では、主基板４３の制御回路に出力指示スイッチ６３を設けたが、賞球制御基板４５の制御回路に設けてもよい。
（ｃ）前記第２実施形態では、出力指示スイッチ６３をＮＣ（normally close）スイッチとして機能するリレー（電磁継電器）等により構成したが、ＮＯ（normally open ）スイッチとして機能するリレー（電磁継電器）等により構成してもよい。この場合には、主基板４５のＣＰＵは、出力指示スイッチ６３の入力端子の電圧がＨｉｇｈのときに、払出カウントスイッチ５３の検出信号を賞球制御基板４５に出力する。
【００６０】
【発明の効果】
以上説明した通り本発明は、賞球払い出しの管理処理と貸球払い出しの管理処理とを分離し、賞球払い出しの管理処理を主基板に搭載されたＣＰＵに実行させ、貸球払い出しの管理処理を賞球制御基板に搭載されたＣＰＵに実行させることにより、賞球払い出しの管理処理を主基板に一元化することに基づき、賞球制御基板に対する不正行為を確実に防止することが可能になると共に、賞球払い出し制御に対する不正防止対策を主基板だけに実施するだけで、不正防止対策のコスト削減を図ることが可能なカード式パチンコ機を提供することができる。
【図面の簡単な説明】
【図１】
第１実施形態に係るカード式パチンコ機全体を示した正面図である。
【図２】
第１実施形態に係るカード式パチンコ機全体を示した背面図である。
【図３】
第１実施形態に係るパチンコ機１の賞球及び貸球の払い出しに係る機構セット盤の要部を拡大した背面図である。
【図４】
第１実施形態に係るカード式パチンコ機の賞球及び貸球の払い出しに係る制御システムの構成を示すブロック図である。
【図５】
第１実施形態に係るカード式パチンコ機の賞球及び貸球の払い出しに係る制御システムにおいて行われる制御処理のフローチャートである。
【図６】
第２実施形態に係るカード式パチンコ機の賞球及び貸球の払い出しに係る制御システムの構成を示すブロック図である。
【図７】
第２実施形態に係るカード式パチンコ機の賞球及び貸球の払い出しに係る制御システムにおいて行われる制御処理のフローチャートである。
【図８】
従来例に係るカード式パチンコ機の賞球及び貸球の払い出しに係る制御システムの構成を示すブロック図である。
【図９】
従来例に係るカード式パチンコ機の賞球及び貸球の払い出しに係る制御システムにおいて行われる制御処理のフローチャートである。
【符号の説明】
１            パチンコ機  
２            遊技盤  
１１          球貸操作部  
２１          カード式球貸機  
２１Ａ        球貸機制御基板  
２２          カード挿入口  
４３、１０２  主基板  
４５、１０３  賞球制御基板  
４８、１０９  インターフェース基板  
４９、１０８  球貸操作基板  
５３、１０５  払出カウントスイッチ  
５６、１０４  入賞球検出スイッチ  
５７、１０７  入賞球排出ソレノイド  
６１、１０６  賞球貸球払出装置  
６２          出力切替スイッチ  
６３          出力指示スイッチ